(57)【特許請求の範囲】
【請求項１】
対向配置された一対の基板と、
該一対の基板間に放電空間を区画する隔壁と、
前記一対の基板間に配置され、前記放電空間で放電を発生させる走査電極、維持電極、及びアドレス電極と、
前記放電空間に配置され、前記放電により発光する蛍光体と、を備え、
前記走査電極が第１バス電極を備え、前記維持電極が第２バス電極を備え、
前記第２バス電極が第１方向に延びる隔壁上に配置され、
前記第１バス電極が隣接する前記第２バス電極の間に配置され、かつ前記第１バス電極と前記第２バス電極とは、等間隔で配列され、
前記走査電極は、前記第１バス電極に接し、前記第１バス電極より広い幅を有する第１透明電極を備え、
前記維持電極は、前記第２バス電極に接し、前記第２バス電極より広い幅を有する第２透明電極を備え、
前記第１バス電極は、前記第１透明電極と前記第２透明電極とが互いに隣接する放電ギャップ部分に位置する前記第１透明電極の一方の幅端上に配置され、
前記第２バス電極は、前記放電ギャップ部分に位置する前記第２透明電極の一方の幅端に対向する前記第２透明電極の他方の幅端上に配置され、
前記走査電極と前記維持電極は、実質的に等しい間隔で配列されることを特徴とするプラズマディスプレイパネル。
【請求項２】
前記第１透明電極及び前記第２透明電極は、前記第１方向に延びることを特徴とする請求項１に記載のプラズマディスプレイパネル。
【請求項３】
前記第１透明電極、前記第１バス電極、前記第２透明電極、及び前記第２バス電極の少なくともいずれか１つは、少なくとも１つの屈曲部を備え前記第１方向に延びることを特徴とする請求項２に記載のプラズマディスプレイパネル。
【請求項４】
前記走査電極は、前記第１バス電極に接する第１透明電極を備え、前記維持電極は、前記第２バス電極に接する第２透明電極を備え、
前記第１透明電極は、前記第１バス電極を基準として隣接する２つの隔壁の間における中央部から前記隔壁側に延び、前記第１バス電極より広い幅を備え、前記第２透明電極は、前記第２バス電極を基準として前記隔壁上から前記隣接する２つの隔壁の間における中央部に延び、前記第２バス電極より広い幅を備えることを特徴とする請求項１に記載のプラズマディスプレイパネル。
【請求項５】
前記第１透明電極及び前記第２透明電極は、第１方向に延びることを特徴とする請求項４に記載のプラズマディスプレイパネル。
【請求項６】
前記第１透明電極、前記第１バス電極、前記第２透明電極、及び前記第２バス電極の少なくともいずれか１つは、少なくとも１つの屈曲部を備え前記第１方向に延びることを特徴とする請求項５に記載のプラズマディスプレイパネル。
【請求項７】
前記第１バス電極及び前記第２バス電極の少なくともいずれか１つは、前記隔壁及び前記放電空間の配列に応じて曲がる屈曲部を備え前記第１方向に延びることを特徴とする請求項１に記載のプラズマディスプレイパネル。
【請求項８】
前記隔壁は、第１方向に延びる第１隔壁と、前記第１方向と直交する第２方向に延びる第２隔壁とを含むことを特徴とする請求項１に記載のプラズマディスプレイパネル。
【発明の詳細な説明】
【技術分野】
【０００１】
本発明は、放電マージンを拡大し、全ロード領域において効率を増加させ得るセル構造を備えたプラズマディスプレイパネルに関する。
【背景技術】
【０００２】
プラズマディスプレイパネルは、２枚のガラス基板の間にプラズマを生成し、生成されたプラズマで蛍光体を発光させて画像を表示するデジタル表示装置である。プラズマディスプレイパネルは、従来の表示装置を代表するＣＲＴに比べて大型化及び薄型化を同時に満たすことができ、自然な色再現及び速い駆動という長所がある。これにより、プラズマディスプレイパネルは、次世代の大型表示装置の一つとして注目され、研究開発が盛んに行われている。
【０００３】
プラズマディスプレイパネルは、大別してパネル部と駆動部とに分けることができる。パネル部は、互いに対向する一対の基板と、一対の基板間に配置される電極群と、電極群に含まれた電極を電気的に絶縁する誘電体と、一対の基板間に放電空間を形成する隔壁と、放電空間に配置され、放電により発光する蛍光体とを備える。駆動回路は、外部から受信した映像信号を処理して電極群に供給し、それにより画面が表示されるようにパネル部を制御する。パネル部は、マトリクス状に配列された数十〜数百万個のピクセルまたはセルを備えることができる。
【０００４】
従来のセル設計は、電極構造及び隔壁設計という観点から、大別して２つに分けることができる。１つは、単純な四角隔壁構造であり、もう１つは、二重隔壁構造である。
【０００５】
単純な四角隔壁構造を有するセルは、二重隔壁構造に比べて広い放電空間を確保することができるため、放電マージンが高く、１放電当たりの輝度が大きい。しかし、単純な四角隔壁構造のセルは、通常、発光領域がバス電極により遮られるため、開口率が小さくなり、可視光の利用効率が低減するという短所がある。
【０００６】
二重隔壁構造を有するセルは、通常、二重隔壁上に電極がまたがるように設計されるため、開口率が大きい。しかし、二重隔壁により放電空間が小さいため、放電マージンが劣化し、１放電当たりの輝度が低い。
【０００７】
一方、輝度効率の点において、二重隔壁構造のセルは、一般的に、放電ロードが大きい領域において単純な四角構造のセルより有利である。しかし、実際、動画条件となる１０〜３０％のロード条件では、二重隔壁構造のセルが単純な四角構造のセルより低い効率特性を示す。それは、同じ輝度を得るために二重隔壁構造のセルが単純な四角構造のセルより多いサステインパルスを有するようになり、パルス数の増加により無駄な消費電力が増加するからである。
【特許文献１】日本特許公開第２００５−０７１９５３号
【発明の開示】
【発明が解決しようとする課題】
【０００８】
そこで、本発明の目的は、低電圧駆動が可能なセル構造を備えたプラズマディスプレイパネルを提供することである。
【０００９】
本発明の他の目的は、放電空間を最大化しつつ放電電流を制限することにより、全ロードにおいて駆動電圧マージンを向上させることができるプラズマディスプレイパネルを提供することである。
【００１０】
本発明のさらなる目的は、単純な四角隔壁構造より開口率が高く、二重隔壁構造より放電空間を大きく設計し得るセル構造を備えたプラズマディスプレイパネルを提供することである。
【課題を解決するための手段】
【００１１】
上記の技術的課題を解決するための本発明の一態様によれば、対向配置された一対の基板と、一対の基板間に放電空間を区画する隔壁と、一対の基板間に配置され、放電空間で放電を発生させる走査電極、維持電極、及びアドレス電極と、放電空間に配置され、放電により発光する蛍光体と、を備え、ここで、走査電極は、第１バス電極を備え、維持電極は、第２バス電極を備え、第２バス電極は、第１方向に延びる隔壁上に配置され、第１バス電極は、隣接する第２バス電極の間に配置されるプラズマディスプレイパネルが提供される。
【００１２】
好ましくは、第１バス電極と第２バス電極とは、実質的に等間隔で配列される。
【００１３】
走査電極は、第１バス電極に接し、第１バス電極より広い幅を有する第１透明電極を備える。維持電極は、第２バス電極に接し、第２バス電極より広い幅を有する第２透明電極を備える。第１バス電極は、第１透明電極と第２透明電極とが互いに隣接する放電ギャップ部分に位置する第１透明電極の一方の幅端上に配置される。第２バス電極は、放電ギャップ部分に位置する第２透明電極の一方の幅端に対向する第２透明電極の他方の幅端上に配置される。
【００１４】
第１透明電極及び第２透明電極は、第１方向に延びる。
【００１５】
第１透明電極、第１バス電極、第２透明電極、及び第２バス電極の少なくともいずれか１つは、少なくとも１つの屈曲部を備える。
【００１６】
走査電極は、第１バス電極に接する第１透明電極を備え、維持電極は、第２バス電極に接する第２透明電極を備える。第１透明電極は、第１バス電極を基準として隣接する２つの隔壁の間における中央部から隔壁側に延び、第１バス電極より広い幅を備える。第２透明電極は、第２バス電極を基準として隔壁上から隣接する２つの隔壁の間における中央部に延び、第２バス電極より広い幅を備える。
【００１７】
第１バス電極及び第２バス電極の少なくともいずれか１つは、隔壁及び放電空間の配列に応じて曲がる屈曲部を備えることができる。
【００１８】
走査電極は、放電空間に配置される蛍光体の輝度差に応じて各放電空間で互いに異なる幅を備えることができる。
【００１９】
隔壁は、第１方向に延びる第１隔壁と、第１方向と直交する第２方向に延びる第２隔壁とを含むことができる。
【発明の効果】
【００２０】
本発明によれば、アドレス放電の非対称性、すなわち、アドレス放電に適するように走査電極の第１バス電極をセルの中央部に位置させることにより、低電圧駆動が可能なプラズマディスプレイパネルを提供することができる。
【００２１】
また、維持電極の第２バス電極を隔壁上に位置させることで放電空間を最大化しつつ電流を制限することにより、プラズマディスプレイパネルの全ロードにおいて駆動電圧マージンを向上させることができる。
【００２２】
さらに、単純な四角隔壁構造より開口率が高く、二重隔壁構造より放電空間が大きいプラズマディスプレイパネルを提供することにより、プラズマディスプレイパネルの全ロードにおいて効率を向上させることができる。
【発明を実施するための最良の形態】
【００２３】
以下の実施形態において、基本的に、走査電極は、第１バス電極と第１透明電極とを含み、維持電極は、第２バス電極と第２透明電極とを含む。ただし、説明の便宜上、第１透明電極は、第１バス電極と明確に区別する際に単に走査電極と言及し、第２透明電極は、第２バス電極と明確に区別する際に単に維持電極と言及することができる。
【００２４】
図１は、本発明の第１実施形態に係るプラズマディスプレイパネルの部分断面図である。参考として、図１は、図２のプラズマディスプレイパネル１００を組み立てた後、それをＩ−Ｉ’に切断した断面に対応することができる。
【００２５】
図１に示すように、プラズマディスプレイパネル１００は、下部基板１０と、下部基板１０上に配置されたアドレス電極１２と、アドレス電極１２を覆う下部誘電体１４と、下部誘電体１４上に配置された隔壁１６と、隔壁１６により区画された放電空間１７に配置された蛍光体１８と、下部基板１０に対向配置される上部基板２０と、上部基板２０上に配置された一対の走査電極２１及び維持電極２３と、走査電極２１上に配置されたバス電極２２（「第１バス電極」とする）及び維持電極２３上に配置されたバス電極２４（「第２バス電極」とする）と、走査電極２１、第１バス電極２２、維持電極２３、及び第２バス電極２４を覆う上部誘電体２６と、上部誘電体２６を覆う保護膜２８とを備える。
【００２６】
また、プラズマディスプレイパネル１００は、プラズマ放電により画面を表示するため、数十〜数百万個のセルを備える。セルは、画面を構成する基本単位であり、少なくとも１つの放電空間１７と、該放電空間１７に放電を発生させる電極群１２，２１，２３と、放電により発光する少なくとも１つの蛍光体１８により階調を表示するように動作する。
【００２７】
前述したプラズマディスプレイパネル１００において、第１バス電極２２は、放電空間１７の中間部上に位置する。第２バス電極２４は、隔壁１６上に位置する。そして、各電極２１，２２，２３，２４は、図１において最も左側にある隔壁１６を基準として右側に向かいながら前記隔壁１６の上部に配置された第２バス電極２４と、第２バス電極２４から放電空間１７の中央部に延びる維持電極２３と、該維持電極２３と放電ギャップ２７を介して配置された第１バス電極２２と、第１バス電極２２が配置された放電空間１７の中央部から隣接する隔壁１６に延びる走査電極２１との順に並ぶ。ここで、放電空間１７の中央部は、所定の第１方向に延びる隣接する２つの隔壁１６の間における中間部分を指す。
【００２８】
第１バス電極２２の幅の大きさ及び第２バス電極２４の幅の大きさは、隔壁１６上部の幅の大きさに等しいかそれより小さいことがある。
【００２９】
従来のプラズマディスプレイパネルでは、セルまたは放電空間の開口率の確保などの理由により、放電空間の中央部に不透明なバス電極を配置していない。しかし、本実施形態では、放電空間の中央部にバス電極、特に、走査電極のバス電極を配置することにより、放電マージンの拡大及び効率の増加という効果がある。一方、セルの開口率の確保のために、第１バス電極２２の幅は、なるべく狭く設計することが好ましい。
【００３０】
前述のように、本実施形態によれば、第１バス電極２２をセルの中央部、すなわち、放電空間１７の中央部に配置すると、アドレス放電の非対称性が減少し、アドレス放電が容易である。これは、プラズマディスプレイパネル１００の低電圧駆動を可能にする。
【００３１】
また、第２バス電極２４を隔壁１６上に配置すると、単純な四角構造で放電空間１７を最大化しつつ放電電流を制限することができる。したがって、プラズマディスプレイパネル１００の駆動電圧マージンは、全ロード領域において向上することができる。
【００３２】
さらに、従来の単純な四角隔壁構造では、走査電極のバス電極と維持電極のバス電極の両方によりセル領域が遮られるが、本実施形態の単純な四角隔壁構造では、第１バス電極によってのみセル領域が遮られるため、従来の単純な四角隔壁構造に比べて開口率が高い。もちろん、二重隔壁構造より放電空間が大きい。したがって、プラズマディスプレイパネル１００の効率は、全ロード領域において向上することができる。
【００３３】
一方、従来の単純な四角隔壁構造または二重隔壁構造は、日本国特開２００５−０７１９５３号公報（２００５年３月１７日公開）を参照することができる。前記公報の図３には、従来の単純な四角隔壁構造が示されており、前記公報の図２には、二重隔壁構造が示されている。
【００３４】
図２は、本発明の第２実施形態に係るプラズマディスプレイパネルの部分分解斜視図である。
【００３５】
同図に示すように、本実施形態のプラズマディスプレイパネル１００ａにおいて、走査電極２１のバス電極２２（第１バス電極）と維持電極２３のバス電極２４（第２バス電極）とが実質的に等間隔Ｗで配列されることを特徴とする。このとき、透明電極からなる走査電極２１と維持電極２３も、実質的に等間隔で配列され得る。
【００３６】
また、隔壁１６は、第１バス電極２２または第２バス電極２４が延びる第１方向に延びた第１隔壁１６ａと、アドレス電極１２が延びる方向または第１方向と直交する第２方向に延びた第２隔壁１６ｂとを含むことができる。第２隔壁１６ｂの高さは、第１隔壁１６ａに等しいかそれより低いことがある。もちろん、第２隔壁１６ｂは、セル設計により省略可能である。
【００３７】
前述した構成によれば、放電空間１７も、電極群の規則的なマトリクスパターン状に規則的なマトリックス配列を備えるようになる。したがって、製造工程が単純化し、各セルの動作が均一になり得る。
【００３８】
図３は、本発明の第２実施形態に係るプラズマディスプレイパネルのセル構造を説明するための部分平面図である。同図において、第１バス電極２２と第２バス電極２４とを含む各要素の厚さ及び大きさは、説明の便宜性及び明確性のために拡大され得る。
【００３９】
図３に示すように、第１バス電極２２は、第１方向Ｘに延びる第１隔壁１６ａ及び第２方向Ｙに延びる第２隔壁１６ｂにより区画される放電空間１７のうち、第１方向に並ぶ一部の放電空間１７の中央部を横切って第１方向に真っ直ぐに延びるように配置される。すなわち、本実施形態の第１バス電極２２は、放電空間１７の中央部上から第１方向にストライプ状に延びる。
【００４０】
第２バス電極２４は、第１隔壁１６ａの上部から第１隔壁１６ａが延びる第１方向に真っ直ぐに延びる。すなわち、本実施形態の第２バス電極２４は、第１隔壁１６ａ上から第１方向にストライプ状に延びる。
【００４１】
第１バス電極２２及び第２バス電極２４は、走査電極２１及び／または維持電極２３より電気抵抗が低く、かつ誘電体と反応しない材料からなる。走査電極２１及び維持電極２３は、透明電極からなる。
【００４２】
走査電極２１は、第１バス電極２２が延びた第１方向に第１バス電極２２と共に延びる。走査電極２１の幅Ｙ１は、第１バス電極２２の幅Ｙ２より広い。走査電極２１は、第１方向Ｘと直交する幅方向Ｙにおいて放電空間１７の中央部から隣接する第１隔壁１６ａ側に延びる。図３において、隣接する第１隔壁１６ａは、説明の便宜上、参照番号２４’を付した第２バス電極２４’の下に位置する隔壁になる。
【００４３】
維持電極２３は、第２バス電極２４が延びた第１方向に第２バス電極２４と共に延びる。維持電極２３の幅Ｘ１は、第２バス電極２４の幅Ｘ２より広い。維持電極２３は、第１方向Ｘと直交する幅方向Ｙにおいて隔壁１６ａの上部から放電空間１７の中央部側に延びる。
【００４４】
走査電極２１及び維持電極２３は、その間に所定大きさの放電ギャップｇ１を隔てて配置される。一方、前述した走査電極２１は、隣接する維持電極２３’から所定のギャップｇ２を隔てて配置される。ここで、隣接する維持電極２３’は、説明の便宜上、参照番号２３’を付し、前述した隣接する第２バス電極２４’が接する維持電極である。前述した放電ギャップｇ１の大きさともう１つのギャップｇ２の大きさとは、実質的に等しく設計され得る。
【００４５】
図４ａ及び図４ｂは、本発明の変形例に係るプラズマディスプレイパネルのセル構造を説明するための部分平面図である。
【００４６】
図４ａに示すように、本実施形態のプラズマディスプレイパネルは、互いに異なる蛍光体が配置された各放電空間１７に応じてその面積が変化する走査電極２１’を備える。例えば、走査電極２１’は、赤色蛍光体１８Ｒ、緑色蛍光体１８Ｇ、及び青色蛍光体１８Ｂに対する輝度差、パネルの外形色、すなわち、反射色差、劣化寿命差などにより、各蛍光体１８が配置された隣接する３つの放電空間１７から互いに異なる幅Ｙｒ，Ｙｇ，Ｙｂを有して第１方向Ｘに延びることができる。
【００４７】
図４ｂに示すように、本実施形態のプラズマディスプレイパネルは、隔壁１６’及び／または放電空間１７’の配列に応じて、走査電極２１ａ、第１バス電極２２ａ、維持電極２３ａ、及び第２バス電極２４ａの少なくともいずれか１つが屈曲部を備えて第１方向に延びる。
【００４８】
第１バス電極２２ａは、第１方向Ｘに並ぶ放電空間１７の一部放電空間の中間部上から蛇行状に第１方向に延びる。また、第１バス電極２２ａは、走査電極２１ａと維持電極２３ａとが互いに隣接する放電ギャップ部分に位置する走査電極２１ａの一方の幅端上に配置される。
【００４９】
走査電極２１ａは、第１バス電極２２ａに接し、第１バス電極２２ａより広い幅を有して第１バス電極２２ａと共に蛇行状に第１方向に延びる。一方、走査電極２１ａの他方の幅端には、所定のギャップを隔てて他の隣接する維持電極２３ａ’及び他の隣接する第２バス電極２４ａ’が配置される。
【００５０】
第２バス電極２４ａは、第１方向Ｘに延びるが、単一直線上に配置されていない第１隔壁１６ａの上部に位置しつつ第１隔壁１６ａに沿って蛇行状に第１方向に延びる。また、第２バス電極２４ａは、前述の隣接する放電ギャップ部分に位置していない維持電極２３ａの他方の幅端上に配置される。維持電極２３ａは、第２バス電極２４ａに接し、第２バス電極２４ａより広い幅を有して第２バス電極２４ａと共に蛇行状に第１方向に延びる。
【００５１】
本実施形態によれば、プラズマディスプレイパネルの画面上に表示される曲線の自然さの向上などのために、セルの配列が変更されたとき、第１バス電極２２ａは、変更された放電空間の中間部の位置に応じて蛇行状またはそれに対応する屈曲部を有して第１方向に延びることができる。
【００５２】
図５は、本発明のプラズマディスプレイパネルのブロック図である。
【００５３】
同図に示すように、プラズマディスプレイパネルは、数十〜数百万個以上のセルがマトリクス状に配列されているパネル部１００と、パネル部１００を駆動する駆動部とを備える。
【００５４】
パネル部１００は、図１〜図４ｂを参照して上記で説明したように、対向配置された一対の基板と、一対の基板間に配置され、放電空間を区画する隔壁と、一対の基板間に配置され、放電空間で放電を発生させる電極群と、放電により発光する蛍光体とを備える。ここで、電極群は、第１方向に延びる複数の走査電極、該各走査電極と並んで第１方向に延びる複数の維持電極、及び第１方向と直交する第２方向に延びる複数のアドレス電極を含む。特に、本実施形態のパネル部１００は、放電空間の中間部上に配置された走査電極のバス電極（第１バス電極）と、隔壁上に配置された維持電極のバス電極（第２バス電極）とを備える。さらに、第１バス電極と第２バス電極とは、実質的に等間隔で配置され得る。
【００５５】
前述した基板は、ガラス基板を含む。電極群は、導電性材料を含んでおり、特に、走査電極及び維持電極は、透明電極からなり、第１バス電極及び第２バス電極は、透明電極より電気抵抗が低く、かつ誘電体と反応しない材料からなる。例えば、透明電極の材料は、ＩＴＯ、ＳｎＯ２、ＺｎＯ、ＣｄＳｎＯ、及びこれらの組み合わせの少なくともいずれか１つを含み、バス電極の材料は、金（Ａｕ）、銀（Ａｇ）などを含む。そして、放電空間には、Ｈｅ＋Ｘｅ、Ｎｅ＋Ｘｅ、Ｈｅ＋Ｘｅ＋Ｎｅなどの不活性混合ガスが注入される。
【００５６】
駆動部は、複数の走査電極Ｙ１，Ｙ２，Ｙ３，…，Ｙｎ−１，Ｙｎを駆動するＹ駆動部２１０と、複数の維持電極Ｘ１，Ｘ２，Ｘ３，…，Ｘｎ−１，Ｘｎを駆動するＸ駆動部２２０と、複数のアドレス電極Ａ１，Ａ２，Ａ３，Ａ４，…，Ａｍ−１，Ａｍを駆動するアドレス駆動部２３０と、各駆動部２１０，２２０，２３０に、走査制御信号、維持放電信号、及びアドレス制御信号を生成して送信する制御部２４０とを備える。
【００５７】
制御部２４０は、表示データ制御部２４２と、駆動制御部２４４とを備える。表示データ制御部２４２は、フレームメモリ２４３を備え、駆動制御部２４４は、走査制御部２４５と、共通制御部２４６とを備える。
【００５８】
制御部２４０は、外部からクロック信号ＣＬＫ、データ信号ＤＡＴＡ、垂直同期信号ＶＳＹＮＣ、及び水平同期信号ＨＳＹＮＣを受信する。表示データ制御部２４２は、クロック信号ＣＬＫによりデータ信号ＤＡＴＡを内部のフレームメモリ２４３に格納し、それに相応するアドレス制御信号をアドレス駆動部２３０に伝達する。駆動制御部２４４は、垂直同期信号ＶＳＹＮＣ及び水平同期信号ＨＳＹＮＣを処理する。走査制御部２４５は、走査駆動部２１２を制御する信号を発生させ、共通制御部２４６は、Ｙ共通駆動部２１４及びＸ駆動部２２０を制御する信号を発生させる。
【００５９】
アドレス駆動部２３０は、表示データ制御部２４２のアドレス制御信号を処理して、アドレスステップで相応する表示データ信号をパネル部１００のアドレス電極Ａ１，Ａ２，…，Ａｍ−１，Ａｍに印加する。
【００６０】
Ｙ駆動部２１０は、走査駆動部２１２と、Ｙ共通駆動部２１４とを備える。走査駆動部２１２は、走査制御部２４５の制御信号によりアドレスステップで相応する走査駆動信号を各走査電極Ｙ１，Ｙ２，…，Ｙｎ−１，Ｙｎに印加する。Ｙ共通駆動部２１４は、共通制御部２４６の制御信号により維持放電ステップで共通駆動信号を走査電極Ｙ１，Ｙ２，…，Ｙｎ−１，Ｙｎに同時に印加する。
【００６１】
Ｘ駆動部２２０は、共通制御部２４６の制御信号により維持放電ステップで共通駆動信号を維持電極Ｘ１，Ｘ２，…，Ｘｎ−１，Ｘｎに同時に印加する。
【００６２】
前述したプラズマディスプレイパネルは、１フレームを複数のサブフィールドに分割して駆動する。各サブフィールドは、リセット期間、アドレス期間、及び維持期間からなる。リセット期間は、セルにアドレッシング動作が円滑に行われるようにするため、各セルの状態を初期化させる期間であり、アドレス期間は、パネル部１００で点灯するセルと点灯しないセルとを選択して、点灯するセルに壁電荷を蓄積する動作を行う期間である。そして、維持期間は、点灯するセルに実際に映像を表示するための放電を行う期間である。
【００６３】
本実施形態によれば、プラズマディスプレイパネルにおいて放電マージンを拡大し、全ロード領域において効率を向上させることができる。
【図面の簡単な説明】
【００６４】
【図１】図１は、本発明の第１実施形態に係るプラズマディスプレイパネルの部分断面図である。
【図２】図２は、本発明の第２実施形態に係るプラズマディスプレイパネルの部分分解斜視図である。
【図３】図３は、本発明の第２実施形態に係るプラズマディスプレイパネルのセル構造を説明するための部分平面図である。
【図４ａ】図４ａは、本発明の変形例に係るプラズマディスプレイパネルのセル構造を説明するための部分平面図である。
【図４ｂ】図４ｂは、本発明の変形例に係るプラズマディスプレイパネルのセル構造を説明するための部分平面図である。
【図５】図５は、本発明のプラズマディスプレイパネルのブロック図である。
【符号の説明】
【００６５】
１００；パネル部
２１０；Ｙ駆動部
２１２；走査駆動部
２１４；Ｙ共通駆動部
２２０；Ｘ駆動部
２３０；アドレス駆動部
２４０；制御部
２４２；表示データ制御部
２４３；フレームメモリ
２４４；駆動制御部
２４５；走査制御部
２４６；共通制御部
【図１】
0005190319.tif 000002
【図２】
0005190319.tif 000003
【図３】
0005190319.tif 000004
【図４ａ】
0005190319.tif 000005
【図４ｂ】
0005190319.tif 000006
【図５】
0005190319.tif 000007